(57)【特許請求の範囲】
【請求項１】
環境に有害なセシウムや汚濁物質等の有害物質が浮遊する水域で有害物質のサンプリングを目的として使用する水質汚濁防止フェンスであって、
フロートと、前記フロートに吊下したフェンスシートと、を有するフェンス部と、
前記フロートの上部に巻き掛けて吊下して使用し、フェンスシートの両面に相対向して外装可能な測定シートと、から構成し、
前記測定シートはフェンスシートの両側に位置させた内シートと外シートの透過性能が同一であると共に、
前記測定シートの下辺にウエイトが付設してあることを特徴とする、
水質汚濁防止フェンス。
【請求項２】
前記測定シートは、内シートと、外シートと、前記内シートと前記外シートとを連結する連結部と、から構成したことを特徴とする、請求項１に記載の水質汚濁防止フェンス。
【請求項３】
前記測定シートの一部に、引き上げロープを接続し、前記引き上げロープを介して、前記測定シートを引き上げ可能に構成したことを特徴とする、請求項１又は２に記載の水質汚濁防止フェンス。
【請求項４】
前記フェンスシートが、透水性シートであることを特徴とする、請求項１〜３のいずれか一項に記載の、水質汚濁防止フェンス。
【発明の詳細な説明】
【技術分野】
【０００１】
本発明は、水質汚濁防止フェンスに関し、特に汚濁防止効果の測定機能を有する水質汚濁防止フェンスに関する。
【背景技術】
【０００２】
水質汚濁防止フェンスは、港湾・海岸・河川等の水域における、汚濁物質の拡散防止に使用される浮体式のフェンスであり、近年は、農業用ダム・ため池の除染作業等にも広く利用されている。
柱状のフロートの下部から透水性のシートを垂下し、当該フロートで対象水域を囲い込み、または締め出すことで、汚濁物質の拡散を防止する。
【０００３】
特許文献１には、フロートとシートとからなる本体を、ジョイント部材を介して直列に接続した水質汚濁防止フェンスが開示されている。
【０００４】
水質汚濁防止フェンスは、供用後、定期的に汚濁防止効果を測定する場合がある。効果測定は、シートの内外の汚濁物質の濃度を対比して行う。
従来は、シートを水上に引き上げ、シートの一部を切り抜いて、その表裏に付着した汚濁物質を採取し、測定機にかけて汚濁物質の濃度を対比することで、汚濁防止効果を測定していた。
【先行技術文献】
【特許文献】
【０００５】
【特許文献１】特開平４−６４６１４号公報
【発明の概要】
【発明が解決しようとする課題】
【０００６】
しかし、上述した従来の技術には、汚濁防止効果の測定時、次のような欠点があった。
＜１＞シートの一部を切り抜くため、シートが欠損し、フェンス本来の汚濁防止機能が損なわれる。
＜２＞シートは水質汚濁防止フェンスの全長に亘って連続している。そのため、水中から引き上げるために多大な労力を要し、作業効率が悪い。
＜３＞切り抜いたシート片の表裏の区別がつきにくいため、測定を誤りやすい。
＜４＞一般的に水質の検査方法として、ロープ付きの採水容器(口広ボトル)を使用して採取した水を検査する方法が広く知られている。
この検査方法にあっては、採水容器の沈降時だけでなく引上げ時にも容器内の水が自由に出入りするために、採取した水の水深を特定することが非常に難しい。
したがって、特定の水深における汚濁状況を正確に検査することができない。
【０００７】
本発明の目的は、次の効果のうち少なくともひとつを有する、水質汚濁防止フェンスを提供することにある。
＜１＞水質汚濁防止フェンス本来の汚濁防止機能を損なわずに汚濁防止効果を測定できること。
＜２＞汚濁防止効果測定用のサンプルの採取が容易で、作業効率がよいこと。
＜３＞汚濁防止効果測定用のサンプルの対比が明確で、測定しやすいこと。
＜４＞特定の水深における汚濁状況を正確に検査できること。
【課題を解決するための手段】
【０００８】
上記のような課題を解決するための、本発明の水質汚濁防止フェンスは、環境に有害なセシウムや汚濁物質等の有害物質が浮遊する水域で有害物質のサンプリングを目的として使用する水質汚濁防止フェンスであって、フロートと、前記フロートに吊下したフェンスシートと、を有するフェンス部と、前記フロートの上部に巻き掛けて吊下して使用し、フェンスシートの両面に相対向して外装可能な測定シートと、から構成し、前記測定シートはフェンスシートの両側に位置させた内シートと外シートの透過性能が同一であると共に、前記測定シートの下辺にウエイトが付設してあることを特徴とする。
【０００９】
本発明の水質汚濁防止フェンスは、測定シートを、内シートと、外シートと、内シートと外シートとを連結する、連結部と、から構成したことを特徴とする。
【００１０】
本発明の水質汚濁防止フェンスは、測定シートの一部に、引き上げロープを接続し、引き上げロープを介して、測定シートを引き上げ可能に構成したことを特徴とする。
【００１１】
本発明の水質汚濁防止フェンスは、フェンスシートが、透水性シートであることを特徴とする。
【発明の効果】
【００１２】
本発明の、水質汚濁防止フェンスは、以上説明した構成を有するため、次の効果の少なくともひとつを備える。
＜１＞フェンス部と別体の測定シートからサンプルを採取し、フェンスシート自体を傷付けないため、サンプル採取後も、汚濁防止機能が損なわれない。
＜２＞測定シートはフェンス部に部分的に配置され、また、内シート、外シートの下端には引き上げロープが連結されているため、引き上げ作業が容易で、作業効率がよい。
＜３＞１枚のシート片の表裏でなく、内シートと外シートとを対比するため、比較対象が明確で、測定が容易である。
＜４＞測定シートを水深方向に沿って配置できるので、水深に応じたサンプリングが可能となって、特定の水深における汚濁状況を正確に検査することができる。
【図面の簡単な説明】
【００１３】
【図１】本発明に係る水質汚濁防止フェンスの説明図。
【図２】本発明に係る水質汚濁防止フェンスの説明図。
【図３】本発明の実施例２の説明図。
【発明を実施するための形態】
【００１４】
以下、図面を参照しながら本発明の、水質汚濁防止フェンスについて詳細に説明する。
【実施例１】
【００１５】
［本発明の構成］
＜１＞全体の構成（図１、２）。
本発明の水質汚濁防止フェンス１は、フェンス部１０と測定シート２０とからなる。
複数のフェンス部１０を、フロート１１の長手方向に連結することで、水域を囲い込み、汚濁物質の移動を制限することができる。測定シート２０は、フェンス部１０の上に、部分的に設置する。
本例において、フェンス部１０と測定シート２０は、分離可能な別部材とするが、両者をフロート１１の上部で連結することもできる。あるいは、一体構造とすることもできる。
【００１６】
＜２＞フェンス部。
フェンス部１０は、汚濁物質の透過を阻止することで拡散を防ぐ部分である。
フェンス部１０は、カーテン式のフェンスであり、例えば公知のシルトフェンスやオイルフェンス等を含む。
フェンス部１０は、柱状のフロート１１と、フロート１１の下部から水中に吊下するフェンスシート１２と、を少なくとも有する。
【００１７】
＜２．１＞フロート。
フロート１１は、水質汚濁防止フェンス１に浮力を与える部材である。
本例では、フロート１１に、円柱形のポリスチレン発泡体をＰＶＣターポリンで被覆したものを採用する。その他、公知の各技術を採用することができる。
【００１８】
＜２．２＞フェンスシート。
フェンスシート１２は、汚濁物質の水中での移動を制限する部材である。
本例では、フェンスシート１２に、ポリエステル製の方形のキャンバスを採用する。透水性を確保するためキャンバスの繊維間には空隙を設けるが、用途によっては非透水性とすることもできる。その他、公知の各技術を採用することができる。
フェンスシート１２は、フロート１１の下部に、長手方向に沿って接続し、水中に吊り下げる。
フェンスシート１２の下辺に沿って、フェンスシート１２の捲れや孕みを防止するための、ウエイト１３を連結することができる。
本例では、ウエイト１３に、亜鉛メッキ処理を施した鋼製のチェーンを採用する。その他、公知の各技術を採用することができる。
【００１９】
＜３＞測定シート。
測定シート２０は、フェンス部１０の汚濁防止効果を測定するための部分である。
測定シート２０は、フェンスシート１２の両側面に相対向して外装可能な内シート２１、外シート２２と、両シート間を接続する連結部２３と、を少なくとも有する。
測定シート２０は、連結部２３をフロート１１の上部に巻き掛け、内シート２１と外シート２２を、フロート１１の両側の水中に吊下して使用する。
【００２０】
＜３．１＞内シート、外シート。
内シート２１、外シート２２は、汚濁物質の水中濃度を測定する機能を有するシートである。便宜上、汚濁物質防止フェンス１で囲い込んだ水域の内側のシートを内シート２１、外側のシートを外シート２２として説明するが、機能は同様である。
本例では、内シート２１、外シート２２には、フェンスシート１２と同様の、ポリエステル製の方形の透水性キャンバスを採用する。サンプリング条件を同一にするため、内シート２１と外シート２２とは、透過性能を同一とする。
内シート２１、外シート２２の下辺には、捲れ、孕みを防止するための、ウエイト２６を連結することができる。
本例では、ウエイト２６に、亜鉛メッキ処理を施した鋼製のチェーンを採用する。その他、公知の各技術を採用することができる。
【００２１】
＜３．２＞連結部。
連結部２３は、内シート２１と、外シート２２との間を連結する部分である。
本例では、連結部２３は、内シート２１、外シート２２と別部材とするが、一枚の連続したシートの中央部分を連結部２３とすることもできる。
連結部２３は、フロート１１を被覆することで、フェンス部１０と測定シート２０とを接続する。接続にあたり、特別な固定具は必要としない。
【００２２】
＜３．３＞引き上げロープ。
引き上げロープ２５は、内シート２１、外シート２２を水中から引き揚げるためのロープである。
引き上げロープ２５には、繊維ロープの他、ワイヤーロープやチェーンなどを採用することができる。
引き上げロープ２５は、一端を内シート２１、外シート２２の下端に接続し、他端をブイ２４に接続する。引き上げロープ２５の長さは、水面から内シート２１、外シート２２の下端までの長さ程度とする。
水面に浮いたブイ２４を目印に引き上げロープ２５を手繰り上げれば、船上から内シート２１、外シート２２を容易に引き上げることができる。
【００２３】
［水質汚濁防止効果の測定方法］
引き続き、図面を参照しながら本発明の水質汚濁防止フェンスによる水質汚濁防止効果の測定方法について説明する。
【００２４】
＜１．１＞設置場所。
本発明の水質汚濁防止フェンス１は、海洋、ため池、湖等の水域で使用することができる。
【００２５】
＜１．２＞汚濁物質の例示。
本願の水質汚濁防止フェンス１の対象となる汚濁物質には、有害物質の付着した土粒子やセシウム、ダイオキシン等がある。
【００２６】
＜１．３＞汚濁物質の捕捉機能。
本例では、内シート２１、外シート２２のキャンバスの繊維間の空隙に汚濁物質を付着させることで、当該水域の汚濁物質の含有量を計測するサンプルとする。但し、サンプリングの方法はこれに限られず、その他公知の各技術を採用することができる。
【００２７】
＜２．１＞シートの引き上げ。
船上、又は水質汚濁防止フェンス１端部の陸上から、ブイ２４を目印に、汚濁物質防止フェンス１の内側のブイ２４に接続された引き上げロープ２５を手繰り寄せる。
引き上げロープ２５は内シート２１の下端に接続されているため、引き上げロープ２５を水上に引くことで、内シート２１の下端を水上に引き上げることができる。
従来の水質汚濁防止フェンスは、本発明の引き上げロープ２５のような引き上げ手段を持たず、また、シート全体を引き上げていたため、重量が重く、引き上げの作業効率が悪かった。
一方、本発明の水質汚濁防止フェンス１は、フェンス部１０上に部分的に配置された内シート２１のみを引き上げるため、引き上げにかかる重量が軽く、引き上げロープ２４を引っぱるだけでよいので、作業効率が非常によい。
【００２８】
＜２．２＞サンプルの回収。
水上に引き上げた内シート２１の一部を切除して、汚濁物質の付着量をはかるサンプルとして回収する。フェンスシート１２外側の外シート２２も同様に一部を回収する。
従来の水質汚濁防止フェンスは、水質汚濁防止効果を測定するため、シートそのものを一部切除して回収していた。そのため、シートが欠損し、水質汚濁防止機能が損なわれていた。
これに対し、本発明の水質汚濁防止フェンス１は、汚濁物質の拡散を防ぐフェンス部１０と、フェンス部１０の汚濁防止効果を測定するための測定シート２０を別個に有し、測定シート２０のみからサンプルを採取し、フェンス部１０を傷付けない。このため、汚濁防止効果を測定しても、汚濁防止機能が損なわれることがない。
【００２９】
＜２．３＞汚濁物質の測定。
フェンス部１０の両側の内シート２１、外シート２２を、付着した汚濁物質ごと細分化し、測定機にかける。両シートの汚濁物質の濃度を比較することで、水質汚濁防止フェンス１の汚濁防止効果を測定することができる。
従来の水質汚濁防止フェンスは、一枚のシートの一部を切除し、その両面から汚濁物質を採取しなければならず、汚濁物質の採取が困難であった。また、一枚のシート片の表裏を対比するため、サンプルを取り違えやすかった。
これに対し、本発明の水質汚濁防止フェンス１は、内シート２１、外シート２２の二枚のシートをそのまま使用するため、汚濁物質の採取が容易である。また、サンプルを取り違えにくい。
更に、フェンスシート１２と共に水深方向に沿って配置した測定シート２０には水深に応じた汚濁状況が直接反映されことになる。
したがって、水深に応じたサンプリングが可能となって、特定の水深における汚濁状況を正確に検査することができる。
【実施例２】
【００３０】
[引き上げロープで内シート、外シート同士を接続した例]
引き続き、引き上げロープ２５で、内シート２１と、外シート２２とを接続した、他の実施例について説明する（図３）。
本例では、引き上げロープ２５の一端を内シート２１の下端に接続し、他端をフロート１１の上部に掛け渡し、反対側の外シート２２の下端に接続する。
本例では、ブイ２４を必要とせず、簡単に引き上げロープ２５を手繰ることができる。また、一本の引き上げロープ２５を操作するだけで、フェンスシート１２両側の内シート２１、外シート２２を引き上げることができ、作業効率が良い。
【符号の説明】
【００３１】
１    水質汚濁防止フェンス
１０  フェンス部
１１  フロート
１２  フェンスシート
１３  ウエイト
２０  測定シート
２１  内シート
２２  外シート
２３  連結部
２４  ブイ
２５  引き上げロープ
２６  ウエイト
【図１】
0006313232.tif 000002
【図２】
0006313232.tif 000003
【図３】
0006313232.tif 000004